(57)【要約】    【課題】紙幣の真偽判別だけを取引きとして行うことができるようにする。    【解決手段】取引きを選択するための顧客操作部と、紙幣の真偽判別の取引きが選択されたかどうかを判断する取引判定処理手段と、紙幣の真偽判別の取引きが選択された場合に、紙幣を取り込み、紙幣が真券か偽券かを判定する紙幣判定処理手段と、真偽判別結果を顧客に通知する判別結果通知処理手段とを有する。この場合、自動取引装置は紙幣の真偽判別だけを取引きとして行うことができる。したがって、紙幣の真偽を判別するために紙幣を金融機関の窓口に持参し、行員に真偽判別を依頼する必要がなくなる。【選択図】    図１  
2005149176.tif 000002
【特許請求の範囲】
【請求項１】
（ａ）取引きを選択するための顧客操作部と、
（ｂ）紙幣の真偽判別の取引きが選択されたかどうかを判断する取引判定処理手段と、
（ｃ）紙幣の真偽判別の取引きが選択された場合に、紙幣を取り込み、紙幣が真券か偽券かを判定する紙幣判定処理手段と、
（ｄ）真偽判別結果を顧客に通知する判別結果通知処理手段とを有することを特徴とする自動取引装置。
【請求項２】
前記判別結果通知処理手段は、真偽判別結果を顧客操作部の表示部に表示する請求項１に記載の自動取引装置。
【請求項３】
前記判別結果通知処理手段は、真偽判別結果をレシートに印刷する請求項１に記載の自動取引装置。
【発明の詳細な説明】
【技術分野】
【０００１】
本発明は、自動取引装置に関するものである。
【背景技術】
【０００２】
従来、銀行、郵便局等の金融機関に設置されたり、コンビニエンスストア等の施設に設置されたりし、現金の自動取引きを行う自動取引装置においては、顧客が通帳、キャッシュカード等を使用して入金、出金、振込み等の取引きを行うことができるようになっている。
【発明の開示】
【発明が解決しようとする課題】
【０００３】
しかしながら、前記従来の自動取引装置においては、入金、振込み等のような取引きにおいては、投入・取出口に投入された紙幣について真偽判別が行われるようになっているが、単に紙幣の真偽判別だけを取引きとして行うことができない。したがって、紙幣の真偽判別だけを行おうとすると、紙幣を金融機関の窓口に持参し、行員に真偽判別を依頼する必要がある。
【０００４】
本発明は、前記従来の自動取引装置の問題点を解決して、紙幣の真偽判別だけを取引きとして行うことができる自動取引装置を提供することを目的とする。
【課題を解決するための手段】
【０００５】
そのために、本発明の自動取引装置においては、取引きを選択するための顧客操作部と、紙幣の真偽判別の取引きが選択されたかどうかを判断する取引判定処理手段と、紙幣の真偽判別の取引きが選択された場合に、紙幣を取り込み、紙幣が真券か偽券かを判定する紙幣判定処理手段と、真偽判別結果を顧客に通知する判別結果通知処理手段とを有する。
【発明の効果】
【０００６】
本発明によれば、自動取引装置においては、取引きを選択するための顧客操作部と、紙幣の真偽判別の取引きが選択されたかどうかを判断する取引判定処理手段と、紙幣の真偽判別の取引きが選択された場合に、紙幣を取り込み、紙幣が真券か偽券かを判定する紙幣判定処理手段と、真偽判別結果を顧客に通知する判別結果通知処理手段とを有する。
【０００７】
この場合、自動取引装置は紙幣の真偽判別だけを取引きとして行うことができる。
【０００８】
したがって、紙幣の真偽を判別するために紙幣を金融機関の窓口に持参し、行員に真偽判別を依頼する必要がなくなる。
【発明を実施するための最良の形態】
【０００９】
以下、本発明の実施の形態について図面を参照しながら詳細に説明する。
【００１０】
図２は本発明の実施の形態における自動取引装置の斜視図、図３は本発明の実施の形態における自動取引装置のブロック図である。
【００１１】
図において、１１は現金の自動取引きを行うための自動取引装置、１２は該自動取引装置１１の筐（きょう）体、１３は、該筐体１２の所定の箇所に形成され、顧客が挿入した取引媒体としての図示されないキャッシュカードを取り込んだり、取引き後のキャッシュカードを排出したり、取引結果が印刷された図示されないレシートを排出したりするための取込み・排出口であり、該取込み・排出口１３は挿入口、取込口及び排出口として機能する。前記筐体１２内の取込み・排出口１３の奥に、カードリーダライタ／プリンタ部１４が配設され、該カードリーダライタ／プリンタ部１４は、取込み・排出口１３から取り込んだキャッシュカードの磁気ストライプからデータを読み取ったり、磁気ストライプにデータを書き込んだりするとともに、取引結果をレシートに対して印刷したりする。
【００１２】
なお、本実施の形態においては、取込み・排出口１３においてキャッシュカードの取込み及び排出、並びにレシートの排出が行われるようになっているが、キャッシュカードの取込み及び排出とレシートの排出とを別に行うことができる。その場合、キャッシュカードの取込み及び排出を行うために、カード用取込み・排出口、及びレシートの排出を行うために、レシート用排出口が形成される。
【００１３】
また、１５は、筐体１２の所定の箇所に形成され、顧客が挿入した取引媒体としての通帳を取り込んだり、取引き後の取引結果が印刷された通帳を排出したりするための取込み・排出口であり、該取込み・排出口１５も、同様に挿入口、取込口及び排出口として機能する。前記筐体１２内の取込み・排出口１５の奥に通帳記帳機１６が配設され、該通帳記帳機１６は、取込み・排出口１５から取り込んだ通帳を識別するとともに、取引結果を通帳に対して印刷したりする。
【００１４】
また、１７は、貨幣としての紙幣を投入したり、取り出すための投入・取出口であり、該投入・取出口１７は投入口及び取出口として機能する。前記筐体１２内の投入・取出口１７の奥に紙幣入出金装置１８が配設され、該紙幣入出金装置１８は、顧客によって指定された取引きに従って紙幣を取り扱う。前記紙幣入出金装置１８は、図示されない真偽判別部を備え、該真偽判別部は、真偽判別処理を行い、入金及び出金の各取引きの際に紙幣の真偽を判別する。
【００１５】
そして、１９は、貨幣としての硬貨を投入したり、取り出すための投入・取出口であり、該投入・取出口１９は投入口及び取出口として機能する。前記筐体１２内の投入・取出口１９の奥に硬貨入出金装置２１が配設され、該硬貨入出金装置２１は、顧客によって指定された取引きに従って硬貨を取り扱う。
【００１６】
また、２３は顧客操作部であり、該顧客操作部２３は、顧客が取引項目、入金金額、出金金額、暗証番号等の入力事項を入力したり、取り消したり、確認したりするための操作部としての操作キー２４、及び自動取引装置１１の操作案内を表示したり、該操作キー２４を操作して入力された入力事項を表示したりするための表示部としてのＣＲＴ２５を備える。該ＣＲＴ２５の操作画面には、操作キー２４とは別に画像によって操作キーが表示され、該操作キーを操作（タッチ）することによって前記入力事項を入力することができる。その場合、ＣＲＴ２５は操作部としても機能する。
【００１７】
そして、２６は、顧客が、取引きに関するトラブル、顧客操作部２３の操作方法、その他の取引内容等を問い合わせるためのインタフォンであり、該インタフォン２６を使用することによって、金融機関の係員、金融機関の管理センター等と連絡を取ることができる。
【００１８】
前記自動取引装置１１の全体の制御を行うために、筐体１２内に制御部２８が配設され、該制御部２８とカードリーダライタ／プリンタ部１４、通帳記帳機１６、紙幣入出金装置１８、硬貨入出金装置２１、顧客操作部２３等が接続される。
【００１９】
次に、前記ＣＲＴ２５について説明する。
【００２０】
図１は本発明の実施の形態におけるＣＲＴの取引選択画面の例を示す図である。
【００２１】
図において、２５はＣＲＴであり、該ＣＲＴ２５に形成された取引選択画面３０には、顧客が要求する取引きを選択するための操作キーとして、入金キー３１、支払キー３２、振込キー３３、通帳記入キー３４、真偽判別キー３５等が表示される。
【００２２】
前記入金キー３１は、入金の取引きを行うためのものであり、顧客が入金キー３１をタッチし、入金の取引きを選択し、キャッシュカード、通帳等を取込み・排出口１３、取込み・排出口１５等に挿入し、投入・取出口１７、投入・取出口１９等に紙幣、硬貨等を挿入して、顧客操作部２３（図１）を所定の方法で操作すると、紙幣入出金装置１８、硬貨入出金装置２１等において入金の処理が行われる。また、前記支払キー３２は、出金の取引きを行うためのものであり、顧客が支払キー３２をタッチし、出金の取引きを選択し、キャッシュカード、通帳等を取込み・排出口１３、取込み・排出口１５等に挿入し、顧客操作部２３を所定の方法で操作すると、紙幣入出金装置１８、硬貨入出金装置２１等において出金の処理が行われる。
【００２３】
そして、振込キー３３は、振込の取引きを行うためのものであり、顧客が振込キー３３をタッチし、振込の取引きを選択し、キャッシュカード、通帳等を取込み・排出口１３、取込み・排出口１５等に挿入するか、投入・取出口１７、投入・取出口１９等に紙幣、硬貨等を挿入するかして、顧客操作部２３を所定の方法で操作すると、制御部２８によって振込の処理が行われる。
【００２４】
また、通帳記入キー３４は、通帳記帳の取引きを行うためのものであり、顧客が通帳記入キー３４をタッチし、通帳記帳の取引きを選択し、通帳を取込み・排出口１５に挿入して、顧客操作部２３を所定の方法で操作すると、通帳記帳機１６において通帳記帳の処理が行われる。
【００２５】
そして、３５は、紙幣の真偽判別の取引きを行うためのものであり、顧客が真偽判別キー３５をタッチし、真偽判別の取引きを選択し、投入・取出口１７に紙幣を挿入して、顧客操作部２３を所定の方法で操作すると、紙幣入出金装置１８の真偽判別部において真偽判別の処理が行われる。
【００２６】
なお、前記各取引きにおいて顧客は、顧客操作部２３を操作するようになっているが、入金キー３１、支払キー３２、振込キー３３、通帳記入キー３４、真偽判別キー３５等をタッチした後にＣＲＴ２５に形成される操作画面の操作キーを適宜タッチすることもできる。
【００２７】
次に、前記真偽判別の処理の動作について説明する。この場合、制御部２８に図示されない真偽判別処理手段が配設され、該真偽判別処理手段は、真偽判別処理を行い、紙幣入出金装置１８の真偽判別部に指示を送るようになっていて、該真偽判別部は、制御部２８からの指示に従って真偽判別の処理を行う。
【００２８】
図４は本発明の実施の形態における真偽判別処理の動作を示すフローチャート、図５は本発明の実施の形態における真偽判別結果を示す真偽判別結果表示画面の例を示す図である。
【００２９】
まず、真偽判別処理手段の取引判定処理手段は、取引判定処理を行い、顧客がＣＲＴ２５に形成された取引選択画面３０（図１）において真偽判別キー３５をタッチして、紙幣の真偽判別の取引きを選択するのを待機することによって、顧客が紙幣の真偽判別の取引きを選択したかどうかを判断する。そして、顧客が紙幣の真偽判別の取引きを選択すると、前記真偽判別処理手段は、キャッシュカードが取込み・排出口１３に挿入されるのを待機し、キャッシュカードが取込み・排出口１３に挿入されると、真偽判別処理手段の顧客情報取得処理手段は、顧客情報取得処理を行い、カードリーダライタ／プリンタ部１４（図３）に顧客情報を取得するよう指示を送り、カードリーダライタ／プリンタ部１４は、指示を受けると、キャッシュカードに記録されている顧客情報を読み取り、読み取った顧客情報を図示されない記録装置に記録する。
【００３０】
この場合、顧客情報取得処理手段の照合処理手段は、照合処理を行い、ＣＲＴ２５に「暗証番号を入力してください。」等の所定のメッセージを表示し、顧客に暗証番号の入力を促し、暗証番号が入力されると、入力された暗証番号と前記読み取った顧客情報とが一致するかどうかを判断し、一致する場合、前記暗証番号及び顧客情報を顧客判断情報として前記記録装置に記録するとともに、投入・取出口１７のカバーを開く。入力された暗証番号と前記読み取られた顧客情報とが一致しない場合、照合処理手段は、暗証番号の再入力等を顧客に促す。
【００３１】
続いて、真偽判別処理手段の紙幣判定処理手段は、紙幣判定処理を行い、顧客が投入・取出口１７に紙幣を投入するのを待機し、紙幣が投入されると、前記真偽判別部に紙幣の真偽を判別するよう指示を送り、真偽判別部は、指示を受けると、前記投入・取出口１７のカバーを閉じ、投入・取出口１７から紙幣を取り込んで、紙幣が真券か偽券かを判定する。
【００３２】
そして、前記真偽判別処理手段の判別結果通知処理手段は、判別結果通知処理を行い、ＣＲＴ２５に、図５に示されるような真偽判別結果表示画面４１を形成し、該真偽判別結果表示画面４１に真偽判別結果を表示する。真偽判別結果は、投入・取出口１７に投入された紙幣、すなわち、投入紙幣の枚数、真券と判別された紙幣の枚数、偽券と思われる紙幣の枚数等がそれぞれ表示される。また、前記判別結果通知処理手段は、カードリーダライタ／プリンタ部１４に真偽判別結果を印刷するように指示を送ることができ、その場合、カードリーダライタ／プリンタ部１４は指示を受けると、真偽判別結果をレシートに印刷する。
【００３３】
次に、前記真偽判別処理手段は、顧客によって前記真偽判別結果表示画面４１上の確認キー４３がタッチされるのを待機し、該確認キー４３がタッチされると、紙幣入出金装置１８に紙幣を返却するように指示を送り、前記紙幣入出金装置１８は指示に従って真偽の判別が行われた後の紙幣を投入・取出口１７に排出する。このようにして、投入された紙幣は返却される。
【００３４】
続いて、前記真偽判別処理手段は、カードリーダライタ／プリンタ部１４にキャッシュカードを返却するように指示を送り、カードリーダライタ／プリンタ部１４は指示に従ってキャッシュカードを返却する。なお、前記真偽判別処理手段は、取引記録を記録装置に記録する。また、このとき、必要に応じて前記真偽判別処理手段の課金処理手段は、課金処理を行い、所定の手数料を徴収することができる。
【００３５】
このように、本実施の形態においては、自動取引装置１１によって、紙幣の真偽判別だけを取引きとして行うことができるので、紙幣の真偽を判別するために紙幣を金融機関の窓口に持参し、行員に真偽判別を依頼する必要がない。
【００３６】
また、通常は、自動取引装置１１では取り扱うことができないキャッシュカード、例えば、他の金融機関のキャッシュカードを使用する場合でも、紙幣の真偽判別だけを行う場合には、真偽判別の取引きを行うことができる。
【００３７】
次に、フローチャートについて説明する。
ステップＳ１  真偽判別の取引きが選択されるのを待機し、真偽判別の取引きが選択されるとステップＳ２に進む。
ステップＳ２  キャッシュカードが挿入されるのを待機し、キャッシュカードが挿入されるとステップＳ３に進む。
ステップＳ３  顧客情報を読み取る。
ステップＳ４  紙幣が挿入されるのを待機し、紙幣が挿入されるとステップＳ５に進む。
ステップＳ５  紙幣が真券か偽券かを判定する。
ステップＳ６  真偽判別結果を表示する。
ステップＳ７  確認キー４３がタッチされるのを待機し、確認キー４３がタッチされるとステップＳ８に進む。
ステップＳ８  紙幣を返却する。
ステップＳ９  キャッシュカードを返却し、処理を終了する。
【００３８】
なお、本発明は前記実施の形態に限定されるものではなく、本発明の趣旨に基づいて種々変形させることが可能であり、それらを本発明の範囲から排除するものではない。
【図面の簡単な説明】
【００３９】
【図１】本発明の実施の形態におけるＣＲＴの取引選択画面の例を示す図である。
【図２】本発明の実施の形態における自動取引装置の斜視図である。
【図３】本発明の実施の形態における自動取引装置のブロック図である。
【図４】本発明の実施の形態における真偽判別処理の動作を示すフローチャートである。
【図５】本発明の実施の形態における真偽判別結果を示す真偽判別結果表示画面の例を示す図である。
【符号の説明】
【００４０】
１１    自動取引装置
２３    顧客操作部
２５    ＣＲＴ
２８    制御部
【図１】
2005149176.tif 000003
【図２】
2005149176.tif 000004
【図３】
2005149176.tif 000005
【図４】
2005149176.tif 000006
【図５】
2005149176.tif 000007